(57)【要約】【課題】  ダイアフラムによって液体が封入されてなる検出室を有する圧力センサにおいて、圧力検出素子の温度特性のばらつきや検出室の内圧のばらつきを抑制可能な製造方法を提供する。【解決手段】  一端側の凹部３０内に圧力検出素子１が設けられ圧力伝達媒体としてのオイル１１が注入された第１のケース３と、一端側にダイアフラム８を有する第２のケース７とを接合することにより、検出室１０を形成する圧力センサの製造方法において、圧力検出素子１における電気信号の出力の温度特性を測定した後、この温度特性に基づいて圧力検出素子１の機能調整を行い、第２のケース７の一端側にダイアフラム８を取り付けた後、ダイアフラム８における検出室１０とは反対側の面が負圧となるようにダイアフラム８に圧力を印加し、この圧力とダイアフラム８の変位量との関係を求め、この関係に基づいてオイル１１を凹部３０内に注入する。【選択図】        図１
2006029887.tif 000002
【特許請求の範囲】
【請求項１】
一端側に凹部（３０）が形成され前記凹部（３０）内には印加圧力に応じたレベルの電気信号を出力する圧力検出素子（１）が設けられた第１のケース（３）と、
一端側に圧力印加により歪み可能なダイアフラム（８）を有する第２のケース（７）とを用意し、
前記凹部（３０）内に圧力伝達媒体としての液体（１１）を注入した後、前記第１のケース（３）の一端側と前記第２のケース（７）の一端側とを接合することにより、前記凹部（３０）および前記ダイアフラム（８）にて閉塞され前記液体（１１）が封入されてなる圧力検出用の検出室（１０）を形成するようにした圧力センサの製造方法において、
前記圧力検出素子（１）における電気信号の出力の温度特性を測定した後、この温度特性に基づいて前記圧力検出素子（１）の機能調整を行い、
前記第２のケース（７）の一端側に前記ダイアフラム（８）を取り付けた後、前記ダイアフラム（８）における前記検出室（１０）とは反対側の面が負圧となるように前記ダイアフラム（８）に圧力を印加し、この圧力と前記ダイアフラム（８）の変位量との関係を求め、この関係に基づいて前記液体（１１）を前記凹部（３０）内に注入することを特徴とする圧力センサの製造方法。
【請求項２】
前記液体（１１）はオイルであることを特徴とする請求項１に記載の圧力センサの製造方法。
【発明の詳細な説明】
【技術分野】
【０００１】
本発明は、ダイアフラムによって圧力伝達媒体としての液体が封入されてなる検出室を有する圧力センサの製造方法に関する。
【背景技術】
【０００２】
従来より、ダイアフラムによって圧力伝達媒体としての液体が封入されてなる検出室を有する圧力センサの製造方法としては、たとえば、特許文献１に記載のものが提案されている。
【０００３】
この圧力センサの製造方法は次のようである。一端側に凹部が形成された第１のケースにおいて、該凹部内には、印加圧力に応じたレベルの電気信号を出力する圧力検出素子としての半導体等からなるセンサ素子等を設ける。一方、圧力印加により歪み可能な金属等からなるダイアフラムを溶接等により一端側に取り付けた第２のケースを用意する。
【０００４】
そして、圧力検出素子が設けられた第１のケースの凹部内に圧力伝達媒体としてのオイル等の液体を定量注入した後、ダイアフラムにて凹部を覆うように、第１のケースの一端側と第２のケースの一端側とを接合する。これにより、凹部およびダイアフラムにて閉塞され且つ液体が封入されてなる圧力検出用の検出室が形成される。
【０００５】
このようにして製造された圧力センサにおいては、通常、被測定圧力が導入される圧力導入孔が第２のケースに形成されており、この圧力導入孔からダイアフラムに圧力が印加される。すると、印加圧力に応じてダイアフラムが歪み、検出室内の液体圧力が変化し、この圧力変化が圧力検出素子に伝達される。
【０００６】
そして、圧力検出素子からは、上記圧力変化に応じたレベルの電気信号が出力される。ここで、通常、第１のケースには、この出力信号を外部へ伝達するためのピンなどが設けられており、圧力検出素子からの電気信号は、当該ピンを介して外部へ取り出されるようになっている。
【特許文献１】特開７−２４３９２６号公報
【発明の開示】
【発明が解決しようとする課題】
【０００７】
ところで、上記従来の圧力センサにおいては、圧力検出素子から出力される電気信号が温度依存性を有するが、この電気信号の出力の温度特性は、圧力検出素子の加工ばらつきなどにより、圧力センサ毎にばらつく。このことは、より高精度な圧力センサを提供するにあたり問題となる。
【０００８】
また、検出室内に注入され封止される液体は定量であるが、この液体は封止されているために、検出室内に内圧が生じている。この内圧は圧力検出素子に印加され、センサ特性に影響を与える。
【０００９】
ここで、発生する内圧が圧力センサ毎にばらつくと、センサ特性がばらついてしまう。この内圧のばらつきは、検出室の容積が膨張するとダイアフラムが変位し、このダイアフラムの変位量のばらつきによるものである。また、このダイアフラムの変位量のばらつきは、ダイアフラムの加工ばらつきなどによる。
【００１０】
本発明は上記問題に鑑みてなされたものであり、ダイアフラムによって圧力伝達媒体としての液体が封入されてなる検出室を有する圧力センサにおいて、圧力検出素子の温度特性のばらつきや検出室の内圧のばらつきを抑制することの可能な製造方法を提供すること目的とする。
【課題を解決するための手段】
【００１１】
上記目的を達成するため、請求項１に記載の発明では、一端側に凹部（３０）が形成され凹部（３０）内には印加圧力に応じたレベルの電気信号を出力する圧力検出素子（１）が設けられた第１のケース（３）と、一端側に圧力印加により歪み可能なダイアフラム（８）を有する第２のケース（７）とを用意し、凹部（３０）内に圧力伝達媒体としての液体（１１）を注入した後、第１のケース（３）の一端側と第２のケース（７）の一端側とを接合することにより、凹部（３０）およびダイアフラム（８）にて閉塞され液体（１１）が封入されてなる圧力検出用の検出室（１０）を形成するようにした圧力センサの製造方法において、次のような点を特徴とする製造方法が提供される。
【００１２】
すなわち、本発明の製造方法は、圧力検出素子（１）における電気信号の出力の温度特性を測定した後、この温度特性に基づいて圧力検出素子（１）の機能調整を行い、第２のケース（７）の一端側にダイアフラム（８）を取り付けた後、ダイアフラム（８）における検出室（１０）とは反対側の面が負圧となるようにダイアフラム（８）に圧力を印加し、この圧力とダイアフラム（８）の変位量との関係を求め、この関係に基づいて液体（１１）を凹部（３０）内に注入することを特徴としている。
【００１３】
それによれば、圧力検出素子（１）における電気信号の出力の温度特性を測定した後、この温度特性に基づいて圧力検出素子（１）の機能調整を行うから、圧力検出素子（１）の温度特性のばらつきを抑制できる。
【００１４】
また、本製造方法では、第２のケース（７）にダイアフラム（８）を取り付けた後、ダイアフラム（８）における検出室（１０）とは反対側の面が負圧となるようにダイアフラム（８）に圧力を印加し、この圧力とダイアフラム（８）の変位量との関係を求めるが、この圧力は、圧力センサにおける検出室（１０）の内圧に相当する。
【００１５】
そこで、上記関係をもとめることにより、検出室（１０）に発生させる内圧に応じたダイアフラム（８）の変位量を求めることができる。そこで、このダイアフラム（８）の変位量を見込んで凹部（３０）内へ注入する液体（１１）の量を決め、液体（１１）の注入を行えば、所望の検出室（１０）の内圧を実現することができ、内圧のばらつきを抑制できる。
【００１６】
よって、本発明によれば、ダイアフラムによって圧力伝達媒体としての液体が封入されてなる検出室を有する圧力センサにおいて、圧力検出素子の温度特性のばらつきや検出室の内圧のばらつきを抑制することの可能な製造方法を提供することができる。
【００１７】
また、請求項２に記載の発明のように、請求項１に記載の圧力センサの製造方法において、液体（１１）としてはオイルを採用することができる。
【００１８】
なお、上記各手段の括弧内の符号は、後述する実施形態に記載の具体的手段との対応関係を示す一例である。
【発明を実施するための最良の形態】
【００１９】
以下、本発明の実施形態について図に基づいて説明する。なお、以下の各図相互において、互いに同一もしくは均等である部分には、説明の簡略化を図るべく、図中、同一符号を付してある。
【００２０】
図１は、本発明の実施形態に係る圧力センサＳ１の全体概略を示す断面図である。
【００２１】
圧力検出素子１は、ガラス製の台座２に陽極接合され、コネクタケース３の一端側（図１中の下端側）に形成された凹部３０にシリコンゴム等の接着剤にて固定されている。この圧力検出素子１は、印加された圧力に応じたレベルの電気信号を出力することができるもので、例えば、半導体ダイアフラム式のセンサ素子を採用できる。
【００２２】
コネクタケース３は、ＰＰＳ（ポリフェニレンサルファイド）等の樹脂を型成形することにより作られたものであり、第１のケースとして構成されている。コネクタケース３の内部には、電気信号を出力するためのコネクタピン４がインサートモールドにより一体成形されて保持されている。
【００２３】
また、コネクタケース３は、コネクタピン４の一端側を外部配線部材に電気的に接続するための接続部３ａを有している。また、コネクタピン４の他端側は、ケース３の凹部３０にてシリコンゴム等の界面シール剤５にて封止されている。
【００２４】
また、コネクタケース３の凹部３０において、圧力検出素子１は、コネクタピン４の他端側とワイヤボンディング等により形成されたボンディングワイヤ６を介して電気的に接続されている。それによって、圧力検出素子１からの電気信号は、ボンディングワイヤ６からコネクタピン４を介して、上記外部回路へ伝達されるようになっている。
【００２５】
ハウジング７は第２のケースとして構成されるものである。このハウジング７は、例えば炭素鋼にめっきを施したもの等の鉄鋼材料等よりなる本体部７１を備えており、この本体部７１は、被測定圧力が導入される圧力導入孔７２と、装置を適所に固定するためのネジ部７３とを有する。
【００２６】
更に、ハウジング７においては、薄い例えばＳＵＳ等の金属等からなるダイアフラム（メタルダイアフラム）８と例えばＳＵＳ等の金属製の押さえ部材（リングウェルド）９とが、本体部７１の一端側（図１中の上端側）に全周溶接されており、圧力導入孔７２の一端に気密接合されたものとなっている。
【００２７】
このように、ハウジング７は、一端側にダイアフラム８を有するとともにダイアフラム８の一面側に圧力を導入する圧力導入孔７２を有するものとなっている。そして、ダイアフラム８は圧力導入孔７２から印加される圧力により歪み可能となっている。
【００２８】
ここで、組合せられたコネクタケース３とハウジング７との固定構造について述べる。図１に示されるように、コネクタケース３は、圧力検出素子１及びコネクタピン４が配設された略柱状の本体部３１を備え、この本体部３１における上記凹部３０側には、全周に渡って段差を持って突出する突出部３２が形成されている。また、ハウジング７の本体部７１における一端側すなわちコネクタケース３との接続側には、開口部７４が設けられている。
【００２９】
そして、組合せられたコネクタケース３とハウジング７とにおいて、ハウジング７の開口部７４を塞ぐように、コネクタケース３の突出部３２が挿入されており、この突出部３２と開口部７４の開口縁部７５が重ね合わされている。そして、両部３２、７５の重ね合わせ部分において、ハウジング７の開口縁部７５がコネクタケース３の突出部３２の側面に沿ってかしめられることで折り曲げられている。
【００３０】
このようにして、コネクタケース３とハウジング７とがかしめ固定され、コネクタケース３の凹部３０とハウジング７のダイアフラム８との間で、区画された検出室１０が構成されている。
【００３１】
この検出室１０には圧力伝達媒体としての液体であり封入液であるオイル１１が封入されている。このオイル１１は熱による膨張、収縮の小さいものを用い、例えばフッ素系オイルを用いる。
【００３２】
また、検出室１０の外周囲には、検出室１０を気密封止するためのＯリング１２が、コネクタケース３の端面のうち検出室１０の外周囲に位置する部位に形成された溝部１３内に収納された形で配設されている。
【００３３】
溝部１３は、Ｏリング１２の外周形状に対応した形状を有するリング状のもので、Ｏリング１２は、この溝部１３内に収納され、コネクタケース３とハウジング７の押さえ部材９とにより挟まれて押圧されている。
【００３４】
このように、本圧力センサＳ１においては、ダイアフラム８にて凹部３０を覆うように、コネクタケース３の一端側とハウジング７の一端側とを接合することにより、凹部３０およびダイアフラム８にて閉塞され且つオイル１１が封入されてなる検出室１０が形成されている。
【００３５】
そして、本センサＳ１においては、検出室１０に収納された圧力検出用の圧力検出素子１によって、検出室１０内の圧力を圧力検出素子１からの出力として検出するようになっている。この検出の具体的な作動について述べる。
【００３６】
圧力センサＳ１は、例えば、ハウジング７のネジ部７３及びネジ部７３に取り付けられたＯリング１４によって、被測定部材の適所に取り付けられる。そして、被測定圧力がハウジング７の圧力導入孔７２より圧力センサＳ１内に導入される。
【００３７】
すると、この被測定圧力がダイアフラム８に受圧され、検出室１０内のオイル１１を介して、圧力検出素子１に伝達される。この被測定圧力に応じた圧力を受圧した圧力検出素子１は、電気信号を出力する。この出力信号は、圧力検出素子１からボンディングワイヤ６、コネクタピン４を介して、外部へ出力される。
【００３８】
次に、かかる圧力センサＳ１の製造方法について説明する。まず、比較のために従来の製造方法について述べる。図２は従来の製造方法を示す工程図である。まず、例えばＰＰＳ等の熱可塑性樹脂を用い、成形型を用いてコネクタピン４がモールドされたコネクタケース３を成形する。
【００３９】
そして、この成形されたコネクタケース３の凹部３０に台座２を介してチップとしての圧力検出素子１を接着剤を硬化させることなどにより配設する（チップ接着硬化）。次に、凹部３０内に、界面シール剤５を配置しこれを硬化するなどにより、コネクタピン４の他端側を界面シール剤５にて封止する（ピンシール硬化）。
【００４０】
次に、圧力検出素子１とコネクタピン４とをボンディングワイヤ６により結線する（ワイヤボンディング）。また、その後、圧力検出素子１の機能調整を行う（機能調整）。
【００４１】
このようにして、一端側に凹部３０が形成され凹部３０内に圧力検出素子１が設けられた第１のケースとしてのコネクタケース３が形成される。この状態のコネクタケース３をコネクタケースアッシーということにする。
【００４２】
また、上記コネクタケースアッシーを用意する一方、型成形や切削加工等により形成されたハウジング７の一端側に、上述したように、ダイアフラム８を組み付け（メタルダイアフラム組付）、押さえ部材（リングウェルド）９を圧入して組み付けた（リングウェルド圧入）後、これらをレーザ溶接にて全周溶接し（レーザ溶接）、圧力導入孔７２の一端に気密接合する。
【００４３】
このようにして、一端側に圧力印加により歪み可能なダイアフラム８を有する第２のケースとしてのハウジング７が形成される。
【００４４】
次に、オイル１１をコネクタケースアッシーの凹部３０内に注入し、上記ハウジングアッシーと上記コネクタケースアッシーとをかしめなどにより接合する（オイル注入・かしめ）。
【００４５】
まずは、具体的には、圧力検出素子１側が上になるようにコネクタケースアッシーを配置する。続いて、コネクタケース３の凹部（オイル室）３０の上方から、ディスペンサなどによりオイル１１を注入する。
【００４６】
次に、上記ハウジングアッシーと上記コネクタケースアッシーとを接合する。つまり、コネクタケース３０における凹部３０が形成された一端側と、ハウジングにおけるダイアフラム８が設けられた一端側とを接合する。
【００４７】
この接合工程においては、まず、コネクタケース３の突出部３２をハウジング７の開口部７４へ挿入し、検出室１０を形成する。具体的には、ハウジング７を上から水平を保ったまま、コネクタケース３に嵌合するように降ろす。この状態のものを真空室に入れて真空引きを行い、検出室１０内の余分な空気を除去する。
【００４８】
その後、コネクタケース３とハウジング７の押さえ部材９とが十分接するまで両ケース３、７を押さえ合わせてＯリング１２を押し潰し、Ｏリング１２によりシールされた検出室１０を形成する。この検出室１０を形成した後、組み合わされた両ケース３、７を上記真空室から取り出す。
【００４９】
次に、コネクタケース３の突出部３２とハウジング７における開口部７４の開口縁部７５との重ね合わせ部分において、ハウジング７の開口縁部７５をかしめることにより、コネクタケース３の突出部３２の側面に沿って折り曲げることで、コネクタケース３とハウジング７とをかしめ固定する。
【００５０】
コネクタケース３とハウジング７とのかしめ固定が完了した時点で、コネクタケース３の凹部３０とハウジング７のダイアフラム８との間で、閉塞され且つオイル１１が封入された検出室１０が形成される。そして、圧力センサＳ１が完成する。
【００５１】
以上が、従来の圧力センサの製造方法であるが、上述したように、圧力検出素子１における電気信号の出力の温度特性は、圧力センサ毎にばらつくため、より高精度な圧力センサを提供するにあたり問題となっている。
【００５２】
また、ダイアフラム８の変位量のばらつきにより、検出室１０内に発生している内圧も、圧力センサ毎にばらつき、これも問題である。
【００５３】
図３は、圧力検出素子１における電気信号の出力の温度特性のばらつきの様子を模式的に示す図であり、横軸に温度、縦軸に電気信号（たとえば電圧）としての素子特性をとってある。
【００５４】
また、図４は、検出室１０の内圧とダイアフラム８の変位量（たわみ量）との関係を示す図であり、このたわみ量は、上記内圧によるものであるからダイアフラム８における検出室１０とは反対側の面が膨らむようにダイアフラム８が変位する量である。
【００５５】
図３に示されるように、センサ毎に圧力検出素子１における電気信号の出力の温度特性は、一定ではなくばらついている。また、図４に示されるように、センサ毎にみると、同じ内圧であってもダイアフラム８の変位量は異なり、ばらついている。
【００５６】
逆に言えば、このダイアフラム８の変位量のばらつきが、検出室１０の内圧のばらつきを引き起こす。たとえば、最終品としての圧力センサにおいて、検出室１０の内圧を一定にしようとオイル１１を一定量注入するが、このダイアフラム８の変位量のばらつきが考慮されていないと、上記内圧のばらつきにつながる。
【００５７】
そこで、本実施形態の圧力センサの製造方法では、図５に示されるように、従来の製造方法に対して温度特性測定工程と変位量測定工程を付与した製造方法を提供する。図５は、本実施形態の製造方法を示す工程図である。
【００５８】
まず、コネクタケース３側では、上述した従来の製法と同様に、チップ接着硬化、ピンシール硬化、ワイヤボンディングまでの各工程を行う。
【００５９】
次に、本実施形態では、温度特性測定工程として、圧力検出素子１における電気信号の出力の温度特性を測定する。つまり、圧力検出素子１に圧力を印加して発生する電気信号を測定することにより、上記図３に示されるような温度特性を求める。
【００６０】
すると、基準となる温度特性に対するばらつきが判明する。そこで、次に、求められた温度特性に基づいて圧力検出素子１の機能調整を行い、温度特性のばらつき分を修正する。具体的には、圧力検出素子１における抵抗配線をトリミングするなどにより、当該ばらつきの修正が可能である。
【００６１】
また、本実施形態の製造方法では、図５に示されるように、ハウジング７側において、メタルダイアフラム組付、リングウェルド圧入、レーザ溶接の各工程を行って、第２のケース７にダイアフラム８を取り付けた後、変位量測定工程を行う。
【００６２】
図６は、この変位量測定の具体的な方法を示す図である。図６に示されるように、ダイアフラム８における検出室１０とは反対側の面が負圧となるようにダイアフラム８に圧力を印加する。たとえば、圧力導入孔７２から排気ポンプなどを用いて脱気することにより、上記負圧状態を実現できる。
【００６３】
そして、この負圧の大きさを変えていき、そのときの圧力とダイアフラム８の変位量との関係（圧力−変位量関係）を求める。ここで、図６に示されるように、変位量の測定は、レーザ変位計を用いて、ハウジングアッシーに対してダイアフラム８の周辺部と中心部とにレーザＲをあてて、このときの周辺部の変位量と中心部の変位量との差により、上記変位量を求める。
【００６４】
この求められた圧力−変位量関係において、負圧は、圧力センサにおける検出室１０の内圧に相当する。つまり、この関係は、実質的に、上記図４に示されるような検出室１０の内圧とダイアフラム８の変位量（たわみ量）との関係として求められる。
【００６５】
そこで、上記圧力−変位量関係をもとめることにより、検出室１０に発生させる内圧に応じたダイアフラム８の変位量を求めることができる。そこで、このダイアフラム８の変位量を見込んで凹部３０内へ注入する液体１１の量を決め、液体１１の注入を行えば、所望の検出室１０の内圧を実現することができ、内圧のばらつきを抑制できる。
【００６６】
具体的には、凹部３０の容積はほぼ一定であるが、所望の内圧を実現するためには、検出室１０の容積としては、その所望の内圧が発生したときのダイアフラム８の変位量の分を凹部３０の容積に加えた容積を考慮する必要がある。
【００６７】
その点、本実施形態によれが、この圧力−変位量関係を求めることで、各センサ毎に、所望の内圧を実現するために必要なオイル１１の量を決めることができる。そして、決められたオイル１１を凹部３０へ注入すればよい。なお、凹部３０の容積よりも多めのオイル１１が注入されるが、オイル１１は表面張力により凹部３０内に保持される。
【００６８】
こうして、本実施形態の製造方法において、機能調整および変位量測定を行った後、図５に示されるように、図２に示される従来の製法と同様に、オイル注入・かしめ工程を行い、本実施形態の圧力センサＳ１が完成する。
【００６９】
ところで、本実施形態によれば、一端側に凹部３０が形成され凹部３０内には印加圧力に応じたレベルの電気信号を出力する圧力検出素子１が設けられた第１のケース３と、一端側に圧力印加により歪み可能なダイアフラム８を有する第２のケース７とを用意し、凹部３０内に圧力伝達媒体としての液体１１を注入した後、第１のケース３の一端側と第２のケース７の一端側とを接合することにより、凹部３０およびダイアフラム８にて閉塞され液体１１が封入されてなる圧力検出用の検出室１０を形成するようにした圧力センサの製造方法において、次のような点を特徴とする製造方法が提供される。
【００７０】
すなわち、圧力検出素子１における電気信号の出力の温度特性を測定した後、この温度特性に基づいて圧力検出素子１の機能調整を行い、第２のケース７の一端側にダイアフラム８を取り付けた後、ダイアフラム８における検出室１０とは反対側の面が負圧となるようにダイアフラム８に圧力を印加し、この圧力とダイアフラム８の変位量との関係を求め、この関係に基づいて液体１１を凹部３０内に注入することを特徴とする圧力センサの製造方法が提供される。
【００７１】
それによれば、上述したように、圧力検出素子１における電気信号の出力の温度特性を測定した後、この温度特性に基づいて圧力検出素子１の機能調整を行うから、圧力検出素子１の温度特性のばらつきを抑制できる。
【００７２】
また、本製造方法では、第２のケース７にダイアフラム８を取り付けた後、上記した負圧の状態にてダイアフラム８に圧力を印加し、上記圧力−変位量関係を求めることにより、検出室１０に発生させる内圧に応じたダイアフラム８の変位量を見込んで凹部３０内へ注入する液体すなわちオイル１１の量を決め、注入を行えば、所望の検出室１０の内圧を実現することができる。
【００７３】
よって、本実施形態によれば、ダイアフラムによって圧力伝達媒体としての液体が封入されてなる検出室を有する圧力センサにおいて、圧力検出素子の温度特性のばらつきや検出室の内圧のばらつきを抑制することの可能な製造方法を提供することができる。
【００７４】
ここで、本実施形態において、あらかじめ測定した圧力検出素子１の温度特性をフィードバックする方法とダイアフラム８の変位量をフィードバックする方法について、具体的な例を示しておく。
【００７５】
たとえば、測定した圧力検出素子１の温度特性の大きい順にトレイにグループ分けしておく。次に、ダイアフラム８の変位量の大きい順にグループ分けしておき、これら両者を組み合わせることで、効率的に組付け作業が可能となる。
【００７６】
また、トレイによるグループ分けの替わりに、圧力検出素子１の温度特性を測定したコネクタケース１とダイアフラム８の変位量を測定したハウジング７とに、バーコードなどの識別マークを表示しておき、機能調整時もしくはオイル注入時に、表示した識別マークを認識させることで、容易に作業が可能となる。
【００７７】
なお、検出室１０内に封入される圧力伝達媒体としての液体はオイル１１以外の液体あっても良い。
【図面の簡単な説明】
【００７８】
【図１】本発明の実施形態に係る圧力センサの全体概略を示す断面図である。
【図２】従来の圧力センサの製造方法を示す工程図である。
【図３】圧力検出素子における電気信号の出力の温度特性のばらつきの様子を模式的に示す図である。
【図４】検出室の内圧とダイアフラムの変位量（たわみ量）との関係を示す図である。
【図５】実施形態の圧力センサの製造方法を示す工程図である。
【図６】ダイアフラムの変位量測定の具体的な方法を示す図である。
【符号の説明】
【００７９】
１…圧力検出素子、３…第１のケースとしてのコネクタケース、７…第２のケースとしてのハウジング、８…ダイアフラム、１１…液体としてのオイル、１０…検出室、３０…凹部。
【図１】
2006029887.tif 000003
【図２】
2006029887.tif 000004
【図３】
2006029887.tif 000005
【図４】
2006029887.tif 000006
【図５】
2006029887.tif 000007
【図６】
2006029887.tif 000008